(57)【特許請求の範囲】
【請求項１】
被圧入部材に圧入された筒状部材を引抜く治具であって、前記筒状部材の筒内に挿入され、先端が被圧入部材の固定部に当接した状態で回転自在にされるとともに、外周の少なくとも一部に雄ネジ部が形成されたロッドと、このロッドの雄ネジ部に螺合するナット部材を備え、このナット部材と前記筒状部材を固定手段で固定し、前記ロッドを回転させることでナット部材を介して筒状部材を引抜くようにしたことを特徴とする筒状部材引抜き治具。
【請求項２】
請求項１に記載の筒状部材引抜き治具において、前記ロッドの一端側には、回転駆動源に連結するための連結部が設けられることを特徴とする筒状部材引抜き治具。
【請求項３】
請求項１又は請求項２に記載の筒状部材引抜き治具において、前記ナット部材は、前記ロッドの雄ネジ部に螺合する雌ネジ部と、この雌ネジ部に隣接する筒状部材固定部を備え、前記固定手段はこの筒状部材固定部に設けられることを特徴とする筒状部材引抜き治具。
【請求項４】
請求項１乃至請求項３のいずれか１項に記載の筒状部材引抜き治具において、前記固定手段は、前記ナット部材の外側面から軸心方向に向けて貫通するネジ孔と、このネジ孔にネジ込まれる固定ボルトからなることを特徴とする筒状部材引抜き治具。
【請求項５】
請求項４に記載の筒状部材引抜き治具において、前記固定ボルトの先端は鋭角に尖ることを特徴とする筒状部材引抜き治具。
【発明の詳細な説明】
【０００１】
【発明の属する技術分野】
本発明は、例えばシリンダヘッドに圧入されたプラグパイプのような筒状部材を引抜く治具に関する。
【０００２】
【従来の技術】
従来、例えば車両用エンジンのシリンダヘッドを廃棄処分するような時、シリンダヘッドそのものをそのまま業者に引き渡して廃棄していた。
【０００３】
【発明が解決しようとする課題】
ところが、近来、省資源等の見地からリサイクルの重要性が強調され、シリンダヘッドをそのまま廃棄処分すると、シリンダヘッドの材料と、圧入されているプラグパイプの材料は異質材料であるため、その後のリサイクル処理に支障が生じ、圧入されるプラグパイプを抜き出して、材料別に分別して処分する必要が生じるようになってきた。
【０００４】
そこで、シリンダヘッド等の被圧入部材に圧入されるプラグパイプ等の筒状部材を簡単に誰でも抜き取ることが出来る簡素な治具が望まれていた。
【０００５】
【課題を解決するための手段】
上記課題を解決するため本発明は、請求項１において、被圧入部材に圧入された筒状部材を引抜く治具において、筒状部材の筒内に挿入され、先端が被圧入部材の固定部に当接した状態で回転自在にされるとともに、外周の少なくとも一部に雄ネジ部が形成されたロッドと、このロッドの雄ネジ部に螺合するナット部材を設け、このナット部材と筒状部材を固定手段で固定し、ロッドを回転させることでナット部材を介して筒状部材を引抜くようにした。
【０００６】
すなわち、本治具は、筒状部材を軸心まわりに回転させるに必要な力が、筒状部材を引抜く力に較べて非常に大きいような場合に特に有効であり、ナット部材を固定手段によって筒状部材に固定しておき、ロッドを回転させれば、ナット部材は筒状部材に固定されて回転が阻止されるため、ロッドとナット部材は軸方向に相対移動しようとする。また、ロッドの先端部は被圧入部材の固定部に当接してそれ以上入り込むことが出来ないため、ナット部材を引抜き方向に移動させることが出来る。従って、ナット部材に固定される筒状部材は、ナット部材と共に移動し引抜かれる。
【０００７】
また請求項２では、ロッドの一端側に、回転駆動源に連結するための連結部を設けた。
そして、この連結部を回転駆動源に連結して回転駆動源を駆動し、ロッドを回転させる。
【０００８】
また請求項３では、ナット部材に、ロッドの雄ネジ部に螺合する雌ネジ部と、この雌ネジ部に隣接する筒状部材固定部を設け、前記固定手段をこの筒状部材固定部に設けた。
また請求項４では、固定手段として、ナット部材の外側面から軸心方向に向けて貫通するネジ孔と、このネジ孔にネジ込まれる固定ボルトを設け、請求項５では、固定ボルトの先端を鋭角に尖らせるようにした。
【０００９】
そして、ナット部材の雌ネジ部をロッドの雄ネジ部に螺合させ、固定手段によって筒状部材をナット部材の筒状部材固定部に固定する。
この際、ネジ孔の固定ボルトをネジ込み、ボルト先端を筒状部材の外周部に係合させて固定する。
また、固定ボルトの先端を鋭角に尖らせておけば、筒状部材の外周に確実に係着せしめて固定することが出来る。
【００１０】
【発明の実施の形態】
本発明の実施の形態について添付した図面に基づき説明する。
ここで図１は本治具で圧入部材を引抜く状態を示す説明図、図２は本治具の斜視図、図３はナット部材の断面図である。
【００１１】
本発明の圧入部材引抜き治具は、例えば図１に示す被圧入部材としてのシリンダヘッドＳに圧入された筒状部材としてのプラグパイプＰを引抜く装置として構成され、極めて簡素な構成で誰でも簡単に取り扱えることを特徴としている。
【００１２】
すなわちこの治具１は、図２にも示すように、プラグパイプＰ内を挿通可能なロッド２と、このロッド２の雄ネジ部２ａに螺合可能なナット部材３と、このナット部材３に設けられた固定手段４からなり、この固定手段４によって、ナット部材３をプラグパイプＰに固定することが出来るようにされている。
【００１３】
前記ロッド２は、プラグパイプＰに挿入された際、先端部が図１に示すようなシリンダヘッドＳの小径パイプ孔の段部ｄに当接することが出来る長さを有しており、また、この先端部を段部ｄに当接させた状態で、プラグパイプＰから外部に露出する部分の近傍に前記雄ネジ部２ａが形成されるとともに、ロッド２の基端部には、回転駆動源５の断面角状の駆動軸に嵌合可能な連結部としての嵌合部２ｃが形成されている。
【００１４】
前記ナット部材３は、図３に示すように、前記雄ネジ部２ａに螺合可能な雌ネジ部３ａと、この雌ネジ部３ａに隣接する筒状部材固定部としてのパイプ固定部３ｃを備えている。そしてこのパイプ固定部３ｃには、前記固定手段４が設けられている。
【００１５】
前記固定手段４は、ナット部材３のパイプ固定部３ｃの外周部から軸心方向に向けて貫通する複数のネジ孔３ｐ、…と、このネジ孔３ｐ、…にネジ込まれる複数の固定ボルト６、…からなり、この固定ボルト６、…の先端は、尖った鋭角部６ｔとして構成されている。
また、実施形態では、ネジ孔３ｐ、…を円周方向等間隔に４ヵ所形成している。
【００１６】
以上のような引抜き治具の作用等について説明する。
本引抜き治具１のロッド２の雄ネジ部２ａにナット部材３を螺合させ、ロッド２をプラグパイプＰに挿入し、先端部がシリンダヘッドＳのプラグ孔の段部ｄに当接するまで突き当てる。
【００１７】
次いで、その状態でナット部材３のネジ孔３ｐ、…から固定ボルト６、…をネジ込み、先端の尖った鋭角部６ｔをプラグパイプＰの外面に係合させ、ナット部材３をプラグパイプＰに固定する。
【００１８】
そして、ロッド２の嵌合部２ｃに回転駆動源５の駆動軸を嵌合させ、ロッド２を軸回りに回転させる。この際、ロッド２の回転方向は、ナット部材３が固定された場合に、ナット部材３に対してロッド２が前進する方向（ネジ込まれる方向）とする。
【００１９】
すると、ナット部材３はプラグパイプＰに固定され、またプラグパイプＰはシリンダヘッドＳに回転不能に圧入されているため、ナット部材３は回転することが出来ず、しかもロッド２の先端は段部ｄによって位置規制されているため、ナット部材３が雄ネジ部２ａに沿ってロッド２の基端側に向けて移動する。そしてナット部材３に固定されるプラグパイプＰも一緒に移動し、シリンダヘッドＳから引抜かれる。
【００２０】
そして、この引抜き操作中、プラグパイプＰがロッド２の回転と共に一緒に回転を始めるようになったら、プラグパイプＰとシリンダヘッドＳの摩擦抵抗力が減って圧入力が弱まったことが判り、この時はプラグパイプＰを引張れば簡単に引抜くことが出来る。
【００２１】
尚、以上のような実施形態において、予め回転駆動源５とロッド２を一体に構成するようにしても良く、また、固定手段４を固定ボルト６以外の手段にするようにしても良い。
【００２２】
【発明の効果】
以上のように本発明は、ロッドの雄ネジ部に螺合するナット部材を筒状部材に固定し、ロッドを回転させてナット部材を介して筒状部材を引抜くようにしたため、簡素で軽易な引抜き治具を構成することが出来る。
また、誰でも簡単に操作出来るので便利である。
【図面の簡単な説明】
【図１】本治具で圧入部材を引抜く状態を示す説明図
【図２】本治具の斜視図
【図３】ナット部材の断面図
【符号の説明】
１…引抜き治具、２…ロッド、２ａ…雄ネジ部、２ｃ…嵌合部、３…ナット部材、３ａ…雌ネジ部、３ｃ…パイプ固定部、３ｐ…ネジ孔、４…固定手段、５…回転駆動源、６…固定ボルト、６ｔ…鋭角部、ｄ…段部、Ｐ…プラグパイプ、Ｓ…シリンダヘッド。
【図１】
0003650228.tif 000002
【図２】
0003650228.tif 000003
【図３】
0003650228.tif 000004